(57)【要約】【課題】本発明は、従来にない作用効果を発揮する画期的な手摺に関するものである。【解決手段】建築物の壁面１に設けられる手摺であって、壁面１に設けられる基部２と、この基部２に突出状態で設けられる握持部３とから成り、基部２は握持部３を握持する手が壁面１に触れることを防止し得るように握持部３の上縁３’よりも上方に突出するように構成されたものである。【選択図】        図１
2004232321.tif 000002
【特許請求の範囲】
【請求項１】
建築物の壁面に設けられる手摺であって、壁面に設けられる基部と、この基部に突出状態で設けられる握持部とから成り、基部は握持部を握持する手が壁面に触れることを防止し得るように握持部の上縁よりも上方に突出するように構成されていることを特徴とする手摺。
【請求項２】
建築物の壁面に設けられる手摺であって、壁面に付設され、水平方向及び垂直方向に所定長を有する基部と、この基部に突出状態で設けられ、水平方向及び垂直方向に所定長を有する握持部とから成り、基部は握持部を握持する手が壁面に触れることを防止し得るように握持部の上縁よりも上方に所定長Ｌを有するように構成されていることを特徴とする手摺。
【請求項３】
請求項１，２のいずれか１項に記載の手摺において、前記基部の壁面に対する取付位置は、人体や荷物を搬送する搬送台車の側面と基部の握持部より下方の位置が略同等の高さ位置となるように設定されていることを特徴とする手摺。
【請求項４】
請求項１〜３のいずれか１項に記載の手摺において、前記基部の握持部より下方の位置には人体や荷物を搬送する搬送台車の側面の衝突衝撃を緩和する保護部が設けられていることを特徴とする手摺。
【請求項５】
請求項１〜４のいずれか１項に記載の手摺において、前記握持部は上方に湾曲した構成であることを特徴とする手摺。
【請求項６】
請求項１〜５のいずれか１項に記載の手摺において、前記握持部は基部に対して着脱自在であることを特徴とする手摺。
【請求項７】
建築物の壁面に設けられる手摺であって、壁面に設けられる基部とこの基部に突出状態で設けられる握持部とから成り、握持部の上方に設けられ基部の上方表面となる上方表面半体，握持部の下方に設けられ基部の下方表面となる下方表面半体及び握持部で構成される表体と、壁面に設けられ前記表体に連設される裏体とで前記基部及び握持部が構成されていることを特徴とする手摺。
【請求項８】
請求項７記載の手摺において、前記基部に係る上方表面半体は握持部を握持する手が壁面に触れることを防止し得るように握持部の上縁よりも上方に所定長を有するように構成されていることを特徴とする手摺。
【請求項９】
請求項７，８のいずれか１項に記載の手摺において、前記基部の壁面に対する取付位置は、人体や荷物を搬送する搬送台車の側面と下方表面半体の位置が略同等の高さ位置となるように設定されていることを特徴とする手摺。
【請求項１０】
建築物の壁面に設けられる手摺であって、壁面に設けられる基部と、この基部に突出状態で設けられる握持部とから成り、前記基部は、表体と裏体とを重合することで構成され、前記握持部は基部に対して着脱自在に設けられる構成であることを特徴とする手摺。
【請求項１１】
請求項１０記載の手摺において、前記握持部の下部は基部の下方表面部に重合される構成であり、この握持部の下部が人体や荷物を搬送する搬送台車の側面の衝突衝撃を緩和する保護部に構成されていることを特徴とする手摺。
【請求項１２】
請求項１０，１１のいずれか１項に記載の手摺において、前記握持部には係止部が設けられ、この係止部は前記基部に設けた被係止部に対して掛け下げ係止し得る構成であることを特徴とする手摺。
【請求項１３】
請求項１０〜１２のいずれか１項に記載の手摺において、前記基部の表体は握持部を握持する手が壁面に触れることを防止し得るように握持部の上縁よりも上方に所定長を有するように構成されていることを特徴とする手摺。
【発明の詳細な説明】
【０００１】
【発明の属する技術分野】
本発明は、建築物の壁面に設けられる手摺に関するものである。
【０００２】
【従来の技術及び発明が解決しようとする課題】
従来から、例えば病院や老人ホームなどの施設の廊下や階段の壁面に設けられる手摺に対しては、種々の工夫を施した手摺が提案されており、例えば手摺を抗菌素材で形成することで、手摺に抗菌機能を具備せしめた手摺や、壁面に対して所定の間隔を介して配設する手摺を所定巾のプレート状（帯状）とすることで、病人などを搬送する搬送台車（ストレッチャー）の衝突から壁面を保護するガード機能を具備せしめた手摺などがある。
【０００３】
ところが、この従来から提案される手摺は、いずれも握持部を握持しようとすると、この握持部を握持する手が壁面に触れ易い構造であり、よって、手の油や手垢などにより壁面が汚れ、しかも、この壁面に一度付いた手の油や手垢などの汚れを落とすのは非常に厄介である。しかし、壁面を汚れが落とし易い素材のもので構成するにはコストが掛かり過ぎて現実的でない。従って、現状ではこの点は何ら解決されておらず、よって、壁面が汚れて体裁が悪いのは勿論、不衛生であるなどの問題点が指摘されている。
【０００４】
本出願人は、上述した問題点に着目し、極めて商品価値の高い画期的な手摺を開発した。
【０００５】
【課題を解決するための手段】
添付図面を参照して本発明の要旨を説明する。
【０００６】
建築物の壁面１に設けられる手摺であって、壁面１に設けられる基部２と、この基部２に突出状態で設けられる握持部３とから成り、基部２は握持部３を握持する手が壁面１に触れることを防止し得るように握持部３の上縁３’よりも上方に突出するように構成されていることを特徴とする手摺に係るものである。
【０００７】
また、建築物の壁面１に設けられる手摺であって、壁面１に付設され、水平方向及び垂直方向に所定長を有する基部２と、この基部２に突出状態で設けられ、水平方向及び垂直方向に所定長を有する握持部３とから成り、基部２は握持部３を握持する手が壁面１に触れることを防止し得るように握持部３の上縁３’よりも上方に所定長Ｌ１を有するように構成されていることを特徴とする手摺に係るものである。
【０００８】
また、請求項１，２のいずれか１項に記載の手摺において、前記基部２の壁面１に対する取付位置は、人体や荷物を搬送する搬送台車の側面と基部２の握持部３より下方の位置が略同等の高さ位置となるように設定されていることを特徴とする手摺に係るものである。
【０００９】
また、請求項１〜３のいずれか１項に記載の手摺において、前記基部２の握持部３より下方の位置には人体や荷物を搬送する搬送台車の側面の衝突衝撃を緩和する保護部７が設けられていることを特徴とする手摺に係るものである。
【００１０】
また、請求項１〜４のいずれか１項に記載の手摺において、前記握持部３は上方に湾曲した構成であることを特徴とする手摺に係るものである。
【００１１】
また、請求項１〜５のいずれか１項に記載の手摺において、前記握持部３は基部２に対して着脱自在であることを特徴とする手摺に係るものである。
【００１２】
また、建築物の壁面１に設けられる手摺であって、壁面１に設けられる基部２とこの基部２に突出状態で設けられる握持部３とから成り、握持部３の上方に設けられ基部２の上方表面となる上方表面半体２ａ，握持部３の下方に設けられ基部２の下方表面となる下方表面半体２ｂ及び握持部３で構成される表体１０と、壁面１に設けられ前記表体１０に連設される裏体９とで前記基部２及び握持部３が構成されていることを特徴とする手摺に係るものである。
【００１３】
また、請求項７記載の手摺において、前記基部２に係る上方表面半体２ａは握持部３を握持する手が壁面１に触れることを防止し得るように握持部３の上縁３’よりも上方に所定長Ｌ１を有するように構成されていることを特徴とする手摺に係るものである。
【００１４】
また、請求項７，８のいずれか１項に記載の手摺において、前記基部２の壁面１に対する取付位置は、人体や荷物を搬送する搬送台車の側面と下方表面半体２ｂの位置が略同等の高さ位置となるように設定されていることを特徴とする手摺に係るものである。
【００１５】
また、建築物の壁面１に設けられる手摺であって、壁面１に設けられる基部２と、この基部２に突出状態で設けられる握持部３とから成り、前記基部２は、表体１０と裏体９とを重合することで構成され、前記握持部３は基部２に対して着脱自在に設けられる構成であることを特徴とする手摺に係るものである。
【００１６】
また、請求項１０記載の手摺において、前記握持部３の下部は基部２の下方表面部に重合される構成であり、この握持部３の下部が人体や荷物を搬送する搬送台車の側面の衝突衝撃を緩和する保護部７に構成されていることを特徴とする手摺に係るものである。
【００１７】
また、請求項１０，１１のいずれか１項に記載の手摺において、前記握持部３には係止部４が設けられ、この係止部４は前記基部２に設けた被係止部５に対して掛け下げ係止し得る構成であることを特徴とする手摺に係るものである。
【００１８】
また、請求項１０〜１２のいずれか１項に記載の手摺において、前記基部２の表体１０は握持部３を握持する手が壁面１に触れることを防止し得るように握持部３の上縁３’よりも上方に所定長Ｌ１を有するように構成されていることを特徴とする手摺に係るものである。
【００１９】
【発明の作用及び効果】
本発明は、基部２が握持部３の上縁３’よりも上方に突出する構成の為、握持部３を握持する際、誤って手が延びたとしても、該手が壁面１に触れることは防止される。
【００２０】
従って、前述した従来から提案されている手摺と異なり、壁面１が手の油や手垢などで汚れてしまうことが可及的に防止できることになり、壁面１は常に体裁が良く、また、衛生的な壁面１にし得るなど、本発明は、従来にない画期的な作用効果を発揮し、極めて商品価値の高いものになる。
【００２１】
【発明の実施の態様】
図１〜３は本発明の第一実施例、図４〜６は第二実施例を図示したものであり、以下に説明する。
【００２２】
第一実施例について説明する。
【００２３】
第一実施例は、建築物の壁面１に設けられる手摺Ａであって、この手摺Ａは、壁面１に設けられる基部２と、この基部２に突出状態で設けられる握持部３とから成るものである。
【００２４】
具体的には、基部２は、図１，２に図示したようにビス止め等の止着手段８により壁面１に止着され、水平方向及び垂直方向に所定長を有する板状（帯状）の裏体９と、この裏体９に重合状態で係止連結され、水平方向及び垂直方向に所定長を有する板状（帯状）の表体１０とから成り、この裏体９及び表体１０は、夫々抗菌性を有する適宜な硬質樹脂製の部材により一体成形したものである。
【００２５】
この表体１０は、その中央位置に上方に湾曲し水平方向に所定長を有する握持部３が一体突出成形されており、この握持部３は指を掛けるに適した深さ・巾となる凹部３ａを壁側に有する形状に形成されている。
【００２６】
また、この握持部３よりも上方に位置する表体１０の一部である上方表面半体２ａは、壁面１に手が触れるのを阻止する手触れ阻止部６として構成されている。
【００２７】
この手触れ阻止部６は、握持部３の上縁３’よりも上方に所定長Ｌ１を有する（突出する）ように構成されている。この手触れ阻止部６における所定長Ｌ１は、握持部３を握持しようとして握持部３を越えた手が壁面１に触れることを阻止できる長さに設定されている。
【００２８】
また、握持部３よりも下方に位置する表体１０の一部である下方表面半体２ｂは、人体を搬送する搬送台車（ストレッチャー）の衝突衝撃を緩和して壁面１を保護する保護部７として構成されている。
【００２９】
本実施例では、前述した構造の手摺Ａを図３に図示したように病院の廊下の壁面１に取り付けており、基部２の壁面１に対する取付位置は、握持部３の位置が歩行者が握持可能な高さとなる位置であって、人体を搬送する搬送台車（ストレッチャー）の側面と基部２の保護部７が略同等の高さ位置（床面から約９０ｃｍ）となるように取り付けられている。
【００３０】
本実施例は上述のように構成したから、例えば握持部３を握持しようとする際、仮に握持しようとする手が直接握持部３に触れずに該握持部３を越えたとしても、この手は握持部３の上縁３’から上方に突出する基部２に触れることになり壁面１に触れることが防止される。
【００３１】
よって、本実施例によれば、従来から提案される手摺と異なり、握持部３を握持しようとする際にこの握持部３を握持する手が壁面１に触れてしまうのを防止することができるから、壁面１が手の油や手垢などで汚れてしまうのを可及的に防止することができることになり、非常に体裁が良く、衛生面において秀れることになる。
【００３２】
また、本実施例は、壁面１とは異なり、手に付く手垢や油などの汚れを落とし易い素材（合成樹脂）で形成することが可能であり、そして更に、汚れが目立たない色にすることもできるから常に体裁良く衛生的な状態を維持し得ることになる。
【００３３】
また、本実施例は、手摺Ａが壁面１に止着手段８を介して設けられる裏体９と、この裏体９に係止連結する表体１０とで構成されているから、設置作業が極めて簡易且つ迅速に行えることになる。
【００３４】
次に、第二実施例について説明する。
【００３５】
第二実施例は、図４〜６に図示したように、前記握持部３を基部２に対して着脱自在としたタイプである。
【００３６】
具体的には、水平方向及び垂直方向に所定長を有する裏体９と表体１０とから成る基部２の下部に、別成形により設けられ、水平方向に所定長を有する握持部３を着脱自在となるように設けたものであり、握持部３の内面に鉤状にして垂下する係止部４（傾斜垂下部４ａと該傾斜垂下部４ａに対して鉛直状に垂下する鉛直垂下部４ｂとで構成されている。）を並設状態に突設し、この係止部４が嵌入される（掛け下げ係止し得る）凹状の被係止部５を基部２の表体１０の下方に並設状態に設けられている。
【００３７】
また、表体１０は、その上方部が握持部３の上縁３’よりも上方に所定長Ｌ１を有する手触れ阻止部６として構成されている。
【００３８】
また、握持部３は、その下方部が人体や荷物を搬送する搬送台車の側面から壁面１を保護する保護部７として構成されている。
【００３９】
従って、基部２（手触れ阻止部６）によって壁面１が汚れるのを可及的に防止し得ることになるのは勿論、握持部３が不要な場面（例えば搬送台車や荷物の置き場に変更する際など）では、基部２から握持部３を取り外すことでスペースの効率化を達成し得ることになり、しかも、基部２に対する握持部３の着脱は極めて簡易にして迅速に行うことができる。
【００４０】
尚、本発明は、本実施例に限られるものではなく、各構成要件の具体的構成は適宜設計し得るものである。
【図面の簡単な説明】
【図１】第一実施例を示す側断面図である。
【図２】第一実施例を示す分解側断面図である。
【図３】第一実施例の使用状態説明図である。
【図４】第二実施例を示す側断面図である。
【図５】第二実施例を示す分解側断面図である。
【図６】第二実施例を示す斜視図である。
【符号の説明】
Ｌ１  所定長
１  壁面
２  基部
２ａ  上方表面半体
２ｂ  下方表面半体
３  握持部
３’  上縁
４  係止部
５  被係止部
７  保護部
９  裏体
１０  表体
【図１】
2004232321.tif 000003
【図２】
2004232321.tif 000004
【図３】
2004232321.tif 000005
【図４】
2004232321.tif 000006
【図５】
2004232321.tif 000007
【図６】
2004232321.tif 000008